(57)【要約】      （修正有）【課題】参照される位置に割り当てられた属性値を用いた位置参照情報を出力する電子装置を提供する。【解決手段】電子装置２００は記憶部２１０、プロセッサシステム２２０及びデータ伝送部２３０を有する。記憶部は、個々の属性値の頻度に応じた、全ての属性値の中からの部分集合からなり、位置参照のための複数の属性値を備えるリストを保存及び提供する機能を有する。プロセッサシステムは、位置についての指示を受信し、該位置の位置参照に対して適格な少なくとも一つの属性値を決定し、記憶部から、リスト内の決定された属性値に割り当てられた索引値を読み出すように適合される。データ伝送部は、読み出された索引値をさらなる装置へ出力するように機能する。さらに、参照される位置に割り当てられた属性値を用いた位置参照情報を受信及び評価する電子装置と対応する方法とが提供される。【選択図】図２
2016130852.tif 000002
【特許請求の範囲】
【請求項１】
参照される位置に割り当てられた属性値を用いた位置参照情報を出力する電子装置（１００）であって、
個々の属性値の頻度に応じた、全ての属性値の中からの部分集合からなり、位置参照のための複数の属性値を備えるリスト（１１５）を保存及び提供する記憶部（１１０）と、
位置についての指示を受信し、該位置の位置参照に対して適格な少なくとも一つの属性値を決定し、前記記憶部から、前記リスト内の決定された属性値に割り当てられた索引値を読み出すように適合されたプロセッサシステム（１２０）と、
前記読み出された索引値をさらなる装置へ出力するデータ伝送部（１３０）とを有するものであることを特徴とする電子装置。
【請求項２】
属性値に割り当てられた各々の索引値は、数字の索引値であり、前記リストの全ての索引値を表すのに必要なビット数を備えたビットシーケンスにより表されるものであり、前記データ伝送部は前記ビットシーケンスの形式の前記索引値を前記さらなる装置へ送るものであることを特徴とする請求項１に記載の電子装置。
【請求項３】
各々の属性値は、少なくとも一つの文字列を有することを特徴とする請求項１又は請求項２に記載の電子装置。
【請求項４】
前記文字列は、通りの名称であるか、又は、通りの名称を含むことを特徴とする請求項３に記載の電子装置。
【請求項５】
前記記憶部（１１０）は、さらに、複数のリストを保存及び提供するように適合されたものであり、各々のリストは特定の参照属性についての複数の属性値を有することを特徴とする請求項１から請求項４のいずれか一項に記載の電子装置。
【請求項６】
前記記憶部（１１０）は、さらに、複数の地図の要素を有する地図と、
少なくとも一つの地図の要素に対して少なくとも一つの参照属性の属性値とを保存及び提供するように適合されたものであることを特徴とする請求項１から請求項５のいずれか一項に記載の電子装置。
【請求項７】
前記プロセッサシステムは、さらに、前記位置に割り当てられた地図の要素を決定し、
前記決定された地図の要素に基づいて少なくとも一つの属性値を決定するように適合されたものであることを特徴とする請求項１から請求項６のいずれか一項に記載の電子装置。
【請求項８】
さらに、ポジションデータを受信するインターフェース（１４０）を備えるものであることを特徴とする請求項１から請求項７のいずれか一項に記載の電子装置。
【請求項９】
前記電子装置は、ナビゲーション装置であることを特徴とする請求項１から請求項８のいずれか一項に記載の電子装置。
【請求項１０】
前記電子装置は、乗り物のインフォテインメント装置であることを特徴とする請求項１から請求項８のいずれか一項に記載の電子装置。
【請求項１１】
参照される位置に割り当てられた属性値を用いた位置参照情報を受信及び評価する電子装置（２００）であって、
位置参照のための複数の属性値を備えるリスト（２１５）を保存及び提供する記憶部（２１０）と、
さらなる装置から索引値を受信するデータ伝送部（２３０）と、
前記受信した索引値に前記リスト（２１５）内で割り当てられた属性値を前記記憶部から読み出し、前記読み出された属性値によって参照される位置を決定するように適合されたプロセッサシステム（２２０）とを有するものであることを特徴とする電子装置。
【請求項１２】
前記記憶部（２１０）は、さらに、複数の地図の要素を有する地図と、
少なくとも一つの地図の要素に対して少なくとも一つの参照属性の属性値とを保存及び提供するように適合されたものであることを特徴とする請求項１１に記載の電子装置。
【請求項１３】
前記電子装置は、さらに、地図を表示するように適合された表示部を具備し、
前記プロセッサシステム（２２０）は、さらに、前記位置に割り当てられた地図の要素を決定し、少なくとも前記決定された地図の要素を含む地図を表示する前記表示部を制御するように適合されたものであることを特徴とする請求項１２に記載の電子装置。
【請求項１４】
前記電子装置は、ナビゲーション装置であることを特徴とする請求項１１から請求項１３のいずれか一項に記載の電子装置。
【請求項１５】
前記電子装置は、データ伝送チャンネルを経由して、少なくとも一つのさらなる電子装置に接続される中央サーバであることを特徴とする請求項１１から請求項１３のいずれか一項に記載の電子装置。
【請求項１６】
参照される位置に割り当てられた属性値を用いた位置参照情報を出力する方法であって、
個々の属性値の頻度に応じた、全ての属性値の中からの部分集合からなり、位置参照のための複数の属性値を備えるリストを保存する工程（３１０）と、
位置についての指示を受信する工程（３２０）と、
前記位置の位置参照に対して適格な少なくとも一つの属性値を決定する工程（３３０）と、
前記リスト内の決定された属性値に割り当てられた索引値を読み出す工程と（３４０）、
前記読み出された索引値を電子装置へ出力する工程（３５０）とを有することを特徴とする方法。
【請求項１７】
さらに、前記索引値を表し、前記リストの全ての索引値を表すのに必要なビット数を有するビットシーケンスを生成する工程を有し、
前記索引値を出力する工程（３５０）は、前記生成されたビットシーケンスを出力する工程を含むことを特徴とする請求項１６に記載の方法。
【請求項１８】
前記決定された属性値は、通りの名称であることを特徴とする請求項１６又は請求項１７に記載の方法。
【請求項１９】
参照される位置に割り当てられた属性値を用いた位置参照情報を受信及び評価する方法であって、
位置参照のための複数の属性値を備えるリストを保存する工程（３１０）と、
電子装置から索引値を受信する工程（３６０）と、
前記受信した索引値に前記リスト内で割り当てられた属性値を読み出す工程（３７０）と、
前記読み出された属性値によって参照される位置を決定する工程（３８０）とを有することを特徴とする方法。
【請求項２０】
さらに、複数の地図の要素を備えた地図を保存する工程と、
各々の地図の要素に対して、少なくとも一つの参照属性の少なくとも一つの属性値を保存する工程とを有することを特徴とする請求項１９に記載の方法。
【請求項２１】
さらに、前記位置に割り当てられた地図の要素を決定する工程と、
少なくとも前記決定された地図の要素を含む地図を表示する工程とを有することを特徴とする請求項２０に記載の方法。
【請求項２２】
コンピュータで実行可能な複数の命令を含むコンピュータで読み取り可能な記録媒体であって、
前記命令が前記コンピュータのプロセッサによって実行される時に、請求項１６から請求項２１のいずれか一項に記載の方法をコンピュータに遂行させるものであることを特徴とする記録媒体。
【発明の詳細な説明】
【技術分野】
【０００１】
本発明（開示）は、参照される位置（ロケーション）に割り当てられた属性値を用いた位置参照情報を出力する電子装置及び方法に関する。さらに、本発明は、そのような属性値を用いて位置参照情報を受信及び評価する電子装置及び方法、それらの方法のうちの一つを実行させるコンピュータで実施可能な複数の命令を含むコンピュータで読み取り可能な記録媒体に関する。
【背景技術】
【０００２】
地図及び位置に基づくアプリケーションの分野では、多数の異なる装置の様式が存在している。これらは、乗り物のナビゲーションシステムから、ＧＰＳに基づく径路記録機能を有する手首に装着される装置にまで及ぶ。この多数の装置の様式と様々なアプリケーションがあることにより、装置とアプリケーション間で位置に基づくデータを交換可能とするための規定が存在する。そのような位置データの交換は位置参照とも呼ばれる。位置参照についてのどうみても最も簡単な形態は、例えば、座標システム（測地系）ＷＧＳ８４（Ｗｏｒｌｄ  Ｇｅｏｄｅｔｉｃ  Ｓｙｓｔｅｍ  １９８４）における位置座標の伝送である。しかしながら、地球規模のポジション決めシステム（例えば、ＧＰＳ−Ｇｌｏｂａｌ  Ｐｏｓｉｔｉｏｎｉｎｇ  Ｓｙｓｔｅｍ）の使用にもかかわらず、位置座標の交換は必ずしも十分に正確ではない。不正確さ及び誤りは、測定の誤り、又は、対応する装置の異なる処理及び計算方法のみならず、衛星信号を受信する際の干渉によっても発生する。従って、建物が密集した地域では、衛星信号が家の前面、窓等により偏向される（進路を変えられる）又は反射されるので、誤った位置の決定が起こり得る。もしその時に、一つの位置が参照されるだけでなく、一つの装置から他の装置に伝送もされるならば、例えば全径路の伝送のような、一連の誤った位置参照も発生する。さらに他の態様として、異なる地図の資料（データ）に基づいた複数の装置又はアプリケーションの間の位置参照がある。もし、基礎をなす地図データが測定された座標に正確に対応していなければ、特定の位置参照において、さらなる属性値を指定せずに、別の地図データにおいて、同じ位置が割り当てられないということが起こり得る。単に例として、ここでは、複数車線の道路の特定の位置を指定することについて言及する。もしその時、ＷＧＳ８４による座標だけが異なる地図データを備える他の装置に伝送されるならば、位置参照により反対方向の車線になるかもしれない。もし地図データが同一の装置上で交換又は更新され、かつ保存された位置参照情報が使用されるならば、同様な問題が発生する。
【０００３】
従って、座標が伝送されるのみならず、参照される位置の周囲（環境）への参照が行われるように変わった。それゆえに、ＷＧＳ８４の座標に加えて、例えば、道路の種類、対応する道路区間の方位上の向き、及び／又は、交通の方向のような交通ネットワーク専用の属性も伝送の中に含まれる。そのような専用の属性の伝送についての公知の標準としては、ＡＧＯＲＡ−Ｃ標準（ＩＳＯ  １７５７２−３）がある。さらに公知の伝送方法が、ＳＡＥ  Ｊ２７３５標準（ＤＳＲＣ−Ｄｅｄｉｃａｔｅｄ  Ｓｈｏｒｔ  Ｒａｎｇｅ  Ｃｏｍｍｕｎｉｃａｔｉｏｎｓ）に従って行われる。
【０００４】
位置参照のためのこれらの伝送の標準を用いているにもかかわらず、ある状況においては、ＷＧＳ８４の座標による位置、道路の種類及び道路の道筋の方位上の向きを参照することは、十分ではないかもしれない。相互に平行に走り互いに近接している複数の道路がある場合、これらの位置参照によっても他の装置又は更新された地図データを有する装置において誤った位置へ導かれるかもしれない。
【発明の概要】
【発明が解決しようとする課題】
【０００５】
従って、属性を用いて位置参照を改善する電子装置及び方法が提供される。
【課題を解決するための手段】
【０００６】
本発明の第１の態様によれば、参照される位置に割り当てられた属性値を用いた位置参照情報を出力する電子装置が詳述される。その装置は、位置参照のための複数の属性値を備えるリストを保存及び提供する記憶部を有し、そのリストは個々の属性値の頻度に応じた、全ての属性値の中からの部分集合からなる。さらに、装置は、位置についての指示を受信し、該位置の位置参照に対して適格な少なくとも一つの属性値を決定し、記憶部から、リスト内の決定された属性値に割り当てられた索引値を読み出すプロセッサシステムを有している。装置は、読み出された索引値をさらなる装置へ出力するデータ伝送部も有している。さらなる装置とは、さらに、位置を例えば表示部（ディスプレー）へ出力するために、出力された索引値に基づいて、その位置を決定することができる電子装置とすることができる。
【０００７】
属性値に割り当てられた各々の索引値は、数字の索引値であり、ビットシーケンスによって表され得る。ビットシーケンスは、リストの全ての索引値を表すのに必要なビット数を備える（及び、例えば、この数に限定される）ことができる。この場合、データ伝送部は、ビットシーケンスの形式で、さらなる装置へ索引値を出力する。例えば、ビットシーケンスは、所定の長さを持つ、すなわち、所定のビット数に限定されることができる。ビットシーケンスは、例えば、８、１６、２４、又は３２ビットのような固定された長さを持つことができる。もちろん、その他のビットシーケンスとすることも可能である。
【０００８】
本発明によれば、個々の属性値の頻度に応じた、全ての属性値の中からの部分集合は、（例えば、ある特定の地域、又は全域で参照可能な全ての位置に関して）全ての取り得る属性値の中で最も頻度高く（頻繁に）発生する全ての属性値を含むことができる。索引値についてのビットシーケンスの長さが既定の場合は、そのビットシーケンスの長さもリスト内の取り得る属性値の数を決める。リスト内に含まれる属性値は、全ての属性値から各々の頻度（頻出度）に応じて選択されることができる。好ましくは、最も頻度高く発生する属性値がリスト内に保存される部分集合を形成する。このように、「頻度に応じた」とは、所定の数の最も頻度高く発生する属性値により部分集合が形成されることを意味することができる。
【０００９】
また、「頻度に応じた」とは、部分集合を形成する複数の属性値が、所定の割合の最も頻度の高い属性値を構成することを意味することができる。例えば、最も頻度の高い属性値の１％、５％、１０％、２０％等が部分集合を形成する。部分集合の大きさ（サイズ）、従って索引値のために必要なビットシーケンスの長さは、それゆえに所定の割合によって決定される。
【００１０】
さらに、部分集合の大きさは、全ての属性値の中の個々の属性値の頻度に基づいて決定されることもできる。この場合、「頻度に応じた」とは、全ての属性値の中で少なくとも所定の頻度を持つ複数の属性値が部分集合を形成することを意味することができる。従って、考慮される各々の属性値の頻度は、所定の頻度によって限定される範囲内にあり得る。例えば、部分集合は、全ての属性値の中での頻度が、少なくとも０．１％、０．２％、又は０．３％等である属性値によって形成される。換言すれば、属性値は少なくとも０．１％、０．２％、又は０．３％等で現れる。ここで、全ての索引値を表すビットシーケンスの長さも、索引を付けられた部分集合内の属性値の数によって決定される。
【００１１】
本発明において、「全ての属性値の中」とは、位置参照に関して考慮される属性値の所定の集合（一揃い）を意味する。全体的な集合、すなわち、全ての属性値で考慮することに加え、部分集合だけで考慮することも可能である。これはまず、一つ以上の基準に基づいて決定され得る。頻度を考慮することに対して、このようにして、全ての属性値からなる集合は一つ以上の基準によって数を削減され得る。例えば、特定の場所の領域の全ての属性値が、属性値の頻度を決定するための基礎をなすことができる。例として、ここでは、国、連邦の州、又は他の地理上の領域の全ての通りの名称、又は類似の住所に基づく属性値への参照が行われる。例えば、所定の最小長さの通り、又は所定の最小住民数の場所のような他の基準によって属性値の部分集合を決定することも可能である。
【００１２】
リストの全ての属性値についての固定された長さのビットシーケンスに替わり、リスト内の索引値は可変の長さを持つこともできる。できるだけ効率的なデータ伝送を確実にするために、この場合、最も高い頻度で現れる属性値は、最も短いビットシーケンスを有する索引値で出力される。その結果、複数の属性値を備えるリストは、全ての（考慮される）属性値の中で、その頻度に従って索引が付けられる。これは、頻度に従って属性値を前もって並べ替え（ソート）することによって実行され得る。そのような可変のビットシーケンスの長さによって、出力されるデータ量が最適化され得る。しかしながら、このことは、出力されたデータ内のビットシーケンスのはじめ及び／又は終わりに印を付ける（マークする）追加的なデータを必要とする。
【００１３】
付加的に、又は選択的に、各々の属性値は少なくとも一つの文字列を備えることができる。例えば、文字列は、通りの名称であるか、又は、通りの名称を含むことができる。このようにして、位置（場所）についての非常に明確な識別情報を表す参照属性が、少ないデータ量で出力されることができる。選択的又は付加的に、例えば場所の名称、サイト（いわゆる、興味地点（ＰＯＩ））、自動車道路の出口の識別情報等のようなさらなる属性が出力され得る。
【００１４】
電子装置についての上述の実施態様に加えて、又は代えて、記憶部はさらに、複数のリストを保存及び提供するように適合され得る。各々のリストは、特定の参照属性についての複数の属性値を有する。さらに、さらなるリストも、対応する参照属性の全ての属性値の中から所定の頻度で現れる属性値だけを含む。
【００１５】
さらなる実施態様によれば、記憶部は、さらに、複数の地図の要素を有する地図と、少なくとも一つの地図の要素に対して少なくとも一つの参照属性の属性値とを保存及び提供するように適合され得る。複数の地図の要素は、交通道路（径路）ネットワークを表す交通道路データを含む。さらに、複数の地図の要素は、地図のグラフィック表示のために機能し得る。
【００１６】
改良された位置参照について言えば、上述したような、参照が困難な一つ以上の位置を備える各々の地図の要素に対して、少なくとも一つの参照属性の少なくとも一つの属性値が保存され得る。例えば、地図の要素に関して、特定の通りの名称、場所の名称等が保存され得る。
【００１７】
それに加えて、又はそれに代えて、プロセッサシステムは、位置に割り当てられた地図の要素を決定し、決定された地図の要素に基づいて少なくとも一つの属性値を決定するように適合され得る。地図の要素の決定、及び／又は、少なくとも一つの属性値の決定は、記憶部にアクセスすること、又は、記憶部から特定の地図の要素又は属性値を検索することによって実行され得る。
【００１８】
さらなる実施態様によれば、電子装置はポジションデータを受信するインターフェースも備え得る。このインターフェースはポジションインターフェースとも呼ばれ、ポジション検出装置に接続する機能を有する。ポジション検出装置は、衛星支援ナビゲーションのためのセンサー（例えば、ＧＰＳセンサー）、ＧＰＳプロセッサ（等）、ステアリング角度センサー、速度センサー又は他のポジション決定センサー、及び位置を計算するための対応するプロセッサシシテムを備え得る。
【００１９】
特定の実施態様において、電子装置はナビゲーション装置である。これは、乗り物の中に恒久的に（常時）据え付けられているナビゲーション装置であり得る。それに代わり、それは持ち運び可能な（モバイルの）ナビゲーション装置であり得る。さらにそれに代わり、電子装置は乗り物のインフォテインメント装置でもあり得る。乗り物のインフォテインメント装置は、モバイル装置又は乗り物の中に恒久的に据え付けられている装置でもあり得る。さらに、電子装置は、例えば、スマートフォン、携帯情報端末（ＰＤＡ）、タブレットコンピュータ、ラップトップコンピュータ、体に装着される（いわゆるウエアラブル）装置等のような他のモバイル端末装置の形式で実現されることもできる。
【００２０】
他の実施態様によれば、電子装置は、データ伝送チャンネルを経由して、少なくとも一つのさらなる電子装置に接続される中央サーバである。そのような中央サーバは、交通サービス、地図データ、ルート決定等のサービスプロバイダによって運営され得る。例えば、サービスプロバイダは、現在の交通レポート、すなわち、特定の位置の交通状態を、多数の電子装置に出力することができる。そのようなサービスは、いわゆる、「交通渋滞レポーター（ｔｒａｆｆｉｃ  ｊａｍ  ｒｅｐｏｒｔｅｒ）」として知られている。
【００２１】
本発明の第２の態様（側面）によれば、参照される位置に割り当てられた属性値を用いた位置参照情報を受信及び評価する電子装置が開示される。そのような装置は、位置参照のための複数の属性値を備えるリストを保存及び提供する記憶部を備えることができる。電子装置は、さらに、さらなる装置から索引値を受信するデータ伝送部と、受信した索引値にリスト内で割り当てられた属性値を記憶部から読み出し、読み出された属性値によって参照される位置を決定するように適合されたプロセッサシステムとを有している。
【００２２】
もちろん、このリストも、個々の属性値の頻度に応じた、全ての属性値の中からの部分集合からなり得る。第１の態様による電子装置のリストと比較して、（第２の態様による）この電子装置のリストは、対応する参照属性の全ての属性値と同じ、それ以上のものとすることができる。しかしながら、このリストは少なくとも第１の態様による部分集合を含まなければならない。本発明のこの第２の態様について言えば、記憶部は、さらに、複数の地図の要素を有する地図と、少なくとも一つの地図の要素に対して少なくとも一つの参照属性の属性値とを保存及び提供するように適合され得る。結果として、少なくとも一つの地図の要素から構成される地図が描き出され、又は表示され得り、その地図はリストから属性値に基づいて参照され得る。
【００２３】
付加的に、電子装置はさらに、地図を表示するように適合された表示部を備えている。この場合、プロセッサシステムは、さらに、位置に割り当てられた地図の要素を決定し、少なくとも決定された地図の要素を含む地図を表示する表示部を制御するように適合される。
【００２４】
ある実施態様によれば、電子装置はナビゲーション装置である。電子装置は、選択的に、例えば、スマートフォン、タブレットコンピュータ、ラップトップコンピュータ等のような他のモバイル又は恒久的に据え付けられた装置内で実現されることもできる。
【００２５】
それに代わり、電子装置はデータ伝送チャンネルを経由して、少なくとも一つのさらなる電子装置に接続される中央サーバでもあり得る。そのような中央サーバは、交通サービス、地図データ、ルート決定等のサービスプロバイダによって運営され得る。それに加えて、電子装置は第１の態様による位置参照情報を決定及び出力することもできる。このようにして、例えば交通渋滞レポートのような参照された位置（の情報）が一つのモバイル装置から少なくとも一つの他の装置へ伝えられ得る。
【００２６】
本発明の第３の態様によれば、参照される位置に割り当てられた属性値を用いた位置参照情報を出力する方法が開示される。この目的のために、その方法は、個々の属性値の頻度に応じた、全ての属性値の中からの部分集合からなり、位置参照のための複数の属性値を備えるリストを保存する工程を有する。さらに、その方法は、位置についての指示を受信する工程と、該位置の位置参照に対して適格な少なくとも一つの属性値を決定する工程と、リスト内の決定された属性値に割り当てられた索引値を読み出す工程と、読み出された索引値を電子装置へ出力する工程とを有している。
【００２７】
それに加えて、この方法は、索引値を表し、リストの全ての索引値を表すのに必要なビット数を有するビットシーケンスを生成する工程を有することができる。この場合、索引値を出力する工程は、生成されたビットシーケンスを出力する工程を含む。
【００２８】
第１の態様に関して既に説明したように、ビットシーケンスは特定の固定された長さを持つことができる。それに代わり、ビットシーケンスは可変の長さを持つこともできる。この場合、索引値を出力する工程は、付加的に、ビットシーケンスのはじめ、及び／又は、終わりに印を付けたデータを出力する工程を有する。この方法の一つの実施態様によれば、決定された属性値を通りの名称とすることができる。選択的に、属性値は場所の名称、サイト又はＰＯＩ、自動車道路の出口の識別情報等とすることができる。
【００２９】
本発明の第４の態様によれば、参照される位置に割り当てられた属性値を用いた位置参照情報を受信及び評価する方法が開示される。この態様によれば、その方法は、位置参照のための複数の属性値を備えるリストを保存する工程を有する。さらに、その方法は、電子装置から索引値を受信する工程と、受信した索引値にリスト内で割り当てられた属性値を読み出す工程と、読み出された属性値によって参照される位置を決定する工程とを有する。
【００３０】
第１及び第３の態様に関して既に説明したように、このリストも、個々の属性値の頻度に応じた、全ての属性値の中からの部分集合からなり得る。しかしながら、第４の態様によるリストは、対応する参照属性の全ての属性値以上のものとすることができる。しかしながら、このリストは、少なくとも第１／第３の態様による部分集合を含まなければならない。
【００３１】
ある実施態様において、この方法はさらに、複数の地図の要素を備えた地図を保存する工程と、少なくとも一つの地図の要素に対して、少なくとも一つの参照属性の少なくとも一つの属性値を保存する工程とを有する。
【００３２】
それに代わり、又はそれに加えて、この方法は、位置に割り当てられた地図の要素を決定する工程と、少なくとも決定された地図の要素を含む地図を表示する工程とを有する。
【００３３】
本発明の第５の態様によれば、コンピュータで実行可能な複数の命令を含むコンピュータで読み取り可能な記録媒体が開示される。その命令は、それらがコンピュータのプロセッサによって実行される時に、上述した方法のうちの一つをコンピュータに遂行させる。
【図面の簡単な説明】
【００３４】
本発明のさらなる態様、利点、及び詳細が、以下の実施態様の記載から図面を参照して明らかにされる。
【００３５】
【図１】典型的な実施態様による、位置参照情報を出力する電子装置のブロック図である。
【図２】典型的な実施態様による、位置参照情報を受信及び評価する電子装置のブロック図である。
【図３】属性値及び割り当てられた索引値を備える保存されたリストの一例を示す図である。
【図４】典型的な実施態様による、位置参照情報を出力し、位置参照情報を受信及び評価する方法のフロー図である。
【図５】地図の要素又は地図の詳細を用いた位置参照を示す図である。
【発明を実施するための形態】
【００３６】
本発明は、概略のブロック図とフロー図を用いて例示を通して以下で説明される。これらの図が基づく技術的な教示は、ハードウエア及びソフトウエアの両方で、又はハードウエアとソフトウエアの組み合わせにおいて実現し得る。これには、デジタルシグナルプロセッサ（ＤＳＰ）、特定用途向けＩＣ（ＡＳＩＣ）、及び他のスイッチング及びコンピューティング部品も含まれる。
【００３７】
本発明により、２つの装置の間の改良された位置参照を可能とするために、参照される位置をより正確に同定する可能性が提供される。記載される典型的な実施態様は、異なる地図データが存在する、又は存在している地図データが更新された、同一の装置内での位置参照を改善するのにも好適である。
【００３８】
これはまず、図５による例で説明される。図５は、一つ以上の地図の要素に対応する交通道路ネットワークの詳細を示している。図５において、例えば、ＧＰＳセンサー又はプロセッサによって特定された位置が丸印で示されている。しかしながら、実際のポジションは、ルピネンヴェークの「Ｘ」で示された場所である。初めに説明したように、図５に示された誤差（逸脱）は、測定誤差、計算の誤り等により発生し得る。関連付けられた電子装置では、ルピネンヴェーク上の現在のポジションの印が正しく示され得る。例えば、以前に測定されたポジションデータ及び電子装置の対応する移動（動き）は、いわゆるマップマッチング方法を通して交通道路ネットワークに一致させられることができる。
【００３９】
もし、装置の現在のポジションがさらなる装置に今現在伝送されるならば、従来のシステムにおいて、ＷＧＳ８４の座標だけが伝送されるであろう。付加的に、ポジションに関係する特定の参照属性も伝送され得る。これらには、図５において矢印で示される交通道路（ルピネンヴェーク）の向き、又はこの通りの交通の方位（方角）が含まれる。
【００４０】
もし、この情報がさらなる装置に伝送されるならば、さらなる装置では、ハイデヴェーク上で図５に「Ｘ」で示された場所にポジションを決定し表示することが容易に起こり得る。図５に示されるように、ＷＧＳ８４の座標によるポジションは、ルピネンヴェークと同じ向きであるハイデヴェークに、より近い。同じ問題が、受信装置の地図データが伝送装置のそれと異なるときにも発生する。この場合、第１の地図データに対して正しい位置参照情報が出力されたとしても、第２の地図データにおいて異なる位置に割り当てられるであろう。単にルピネンヴェークの座標と方位上の向きとを伝送することによって、ルピネンヴェークの代わりにより近い交通道路であるとして、ハイデヴェークが同定され得るので、このように位置参照が失敗する。
【００４１】
本発明により、この誤った位置参照を回避する、又は少なくとも誤った位置参照の確率を著しく低減する。図１は、属性値を用いた位置参照情報を出力する電子装置の構成を示している。この目的のために、電子装置１００は、位置参照のための複数の属性値を有するリスト１１５を保存及び提供する記憶部１１０を備えている。電子装置１００は、さらに、プロセッサシステム１２０、データ伝送部１３０、及び任意にポジションインターフェース１４０を備えている。
【００４２】
電子装置１００は、ナビゲーション装置、乗り物のインフォテインメント装置、スマートフォン、タブレットコンピュータ、ラップトップコンピュータ、又は類似のモバイル装置とすることができる。モバイル装置の代わりに、電子装置１００は、例えば乗り物内に、恒久的に据え付けられた固定された装置とすることもできる。装置はまた、例えば交通状態のサービスのサーバのような、多数の他の装置へ位置参照情報を出力する中央サーバ（セントラルサーバ）とすることもできる。
【００４３】
記憶部１１０は、少なくとも一つのリスト１１５を保存するように機能する。例として、２つのリスト、「リスト１」と「リスト２」が図１に示される。各々のリストは、位置参照のための複数の属性値、すなわち、特定の位置を参照するために、その特定の位置を特徴付ける複数の属性値を含んでいる。リストの属性値は、特定の参照属性に関係する。例えば、「リスト１」１１５は、参照属性「通りの名称」の属性値を有する。リスト１１５内の各々の属性値は、通りの名称に対応する。さらなる参照属性として、場所の名称、サイト（いわゆるＰＯＩ）、自動車道路又は他の道路の交差点（合流点）、及び文字列で構成される類似の参照属性とすることができる。
【００４４】
リスト１１５は、特定の基準を満たす複数の属性値を有することができる。ここで参照される例は、（ドイツ、連邦の州、特定の町又は住民５００，０００を超える地域のような）特定の場所の領域内にある通りの名称である。リスト１１５を編集するために、特定の基準を満たす全ての属性値が集められ、評価される。属性値の収集は一つの基準に限定されず、所定のデータ構造によって限定されることもできる。従って、一つのデータベース、又はある位置参照アプリケーションに関連付けられた他のデータ構造からの属性値だけが考慮され得る。このようにして、アプリケーション専用及び装置専用のリストが生成され得る。もちろん、リスト１１５の編集は、全ての属性値に基づいて、すなわち、フィルタリングの基準を前もって適用することなしに、実行することもできる。
【００４５】
さらに、リスト１１５は、考慮された全ての属性値のみならず、個々の属性値の頻度に応じた、全ての属性値の中からの部分集合からも構成される。本発明において、このことは、全ての属性値の中から、特定の属性値だけがそれらの頻度に基づいて選択されることを意味している。そのような部分集合が、例として、図３に示される。この場合、示されたリスト１１５では、各々の属性値（ここでは通りの名称）について、リスト内で唯一無二の索引値を有している。リストの編集について、第１に、部分集合の大きさ、すなわち、リスト１１５内の属性値の数が決定される。属性値に割り当てられた各々の索引値は、ビットシーケンスによって表されることができる。この場合、リスト１１５内の各々の索引値に対するビットシーケンスは、所定の長さを持つ、すなわち、所定のビット数に限定され得る。例えば、ビットシーケンスは、全ての索引値に対して、８、１６、２４、又は３２ビットの固定された長さを持つことができる。もちろん、ビットシーケンスのその他の長さも可能である。ビットシーケンスの長さは、リスト内で取り得る属性値の数も決定し、それゆえ、リストは、２ビットシーケンスの長さ索引値／属性値の組を有する。
【００４６】
リスト内に含まれる属性値（部分集合）は、それぞれの頻度に応じて全ての属性値から選択される。この場合、最も頻度高く現れる複数の属性値が、リスト１１５内に保存される部分集合を形成する。従って、「頻度に応じた」とは、ビットシーケンスの長さによって決定される、最も頻度高く現れる複数の属性値が、部分集合を形成することを意味することができる。
【００４７】
より簡単な説明として、本発明が、例えばドイツのような、特定の場所の領域内の通りの名称のリスト１１５を用いて以下で説明される。もちろん、本発明はこの特別なリスト１１５に限定されるものではない。異なるデータベース及び他の参照属性に基づく他の、及び／又は、さらなるリスト１１５が編集され、使用され得る。さらなる明確化のために、ドイツ内の最も頻度の高い８つの通りの名称が、対応する数及び頻度（％表示）とともに、以下の表に示される。
【００４８】
【表１】
2016130852.tif 000003
【００４９】
もし、ビットシーケンスの長さが今２ビットに設定されるなら、リスト１１５は４つの索引を付けられた属性値を持つことができる。ドイツについて言えば、それらは、ハウプトシュトラーセ、バーンホフシュトラーセ、ドルフシュトラーセ、及びシューレシュトラーセであるだろう。
【００５０】
部分集合の大きさは、全ての属性値の中の個々の属性値の頻度に基づいて決定され得る。この場合、「頻度に応じた」とは、全ての属性値の中の少なくとも所定の頻度を有する属性値が、部分集合を形成することを意味し得る。従って、考慮される各々の属性値の頻度は、所定の頻度によって限定された範囲内にあり得る。例えば、全ての属性値の中での頻度が、少なくとも０．２％、０．４％、又は０．６％等である通りの名称で部分集合を形成し得る。換言すれば、その属性値は、全ての属性値の中から、少なくとも０．２％、０．４％、又は０．６％等で現れる。表１による例においては、これは、全ての表示された通りの名称（＞０．２％）、ハウプトシュトラーセからドルフシュトラーセまで（＞０．４％）、及び、ハウプトシュトラーセのみ（＞０．６％）であるだろう。この場合、全ての索引値を表すためのビットシーケンスの長さは、索引が付けられる部分集合内の属性値の数によって決定される。
【００５１】
他方、部分集合の大きさ（リスト１１５内の属性値の数）は、所定の大きさの頻度によっても決定され得る。従って、「頻度に応じた」とは、部分集合を形成する複数の属性値が、属性値のある特定の割合をなす（構成する）ことも意味し得る。例えば、考慮される最も頻度の高い属性値だけで、全ての属性値の中の１％、５％、１０％、又は２０％が部分集合を形成し得る。頻度に従って並べ替えられた全体の集合（セット）（すなわち、全ての属性値）において、これはこの全体の集合の要素の上位の１％、５％、１０％等に相当する。従って、リスト１１５の索引値のために必要とされるビットシーケンスの長さは、結果として生成される部分集合の大きさによっても決定される。
【００５２】
部分集合を決定する、さらなる基準として、絶対的な頻度、及び／又は絶対的な頻度の範囲とすることもできる。例えば、ハウプトシュトラーセ、バーンホフシュトラーセ、及びドルフシュトラーセが、２０，０００回を超えて現れた全ての通りの名称を含むリスト１１５を形成する。
【００５３】
リスト１１５においては、頻度に応じた属性値に限定されるので、これに対して求められる記憶部（メモリー）への要求（メモリ容量）や計算における経費（時間）はほどほどに維持される。しかしながら、同時に、多くの位置参照がより正確になる。もし、対照的に、全ての属性値がリスト内で利用可能であり、その中で索引を付けられるならば、メモリーと計算における経費は比較的大きくなり、出力される索引値は比較的長くなるであろう。例えば、ドイツにおいては、１００万をはるかに超える通りの名称があり、従って、２１ビットのビートシーケンスの長さの索引（インデックス）が必要になる。複数の他の国においては、さらに多い通りの名称がある。従って、もしリスト１１５が基礎をなすデータ内に現れる全ての属性値を含むというわけではないのであれば、有利である。
【００５４】
表１を参照すると、３．５％の最も頻度の高いドイツの通りの名称は、たった４ビットの長さのビットシーケンスにより包含（カバー）され得る。例示として、わずか１０ビットで、最も頻度の高い通りの名称の３０％が、１３ビットで最も頻度の高い通りの名称の５４％超さえ包含され得る。さらに、１０ビットの長さのビットシーケンスを使用するときに、リスト１１５は、１３，５００の文字の長さ（それに加え、索引値のデータとさらにデータベースに固有のデータ）をわずかに超えるだけである。約１３，５００文字を備える表は、およそ５０ＫＢのサイズである。従って、電子装置１００のメモリーへの要求は比較的低い。１３ビットのビットシーケンスの長さの索引を持つリストにおいては、リスト１１５内に列挙された全ての通りの名称では、１１５，５００文字をわずかに超えるものとなるであろう。
【００５５】
固定された長さを持つビットシーケンスに代わり、リスト１１５内の索引値は可変の長さを持つことができる。この目的のために、リスト１１５内の属性値は並べ替えされ、次に、頻度に基づいて索引が付けられる。このとき、最も頻度高く現れる属性値に対して最も短いビットシーケンスの索引値が設けられる。その結果、リスト１１５では、（考慮される）属性値内のそれらの頻度に従って、属性値に索引が付けられる。これは、リスト１１５についてのそれ以前の並べ替えなしに実行されることができる。そして、アルゴリズムの使用により、索引を付けられた複数の属性値の中から降順の頻度に従って、個々の属性値を読み出し、昇順のビットシーケンスの長さの索引とともに、それらを保存しなければならない。そのような可変のビットシーケンスの長さの結果として、伝送されるデータ量が最適化され得る。ここで、このことはビットシーケンスのはじめか、又は少なくとも終わりに印を付ける付加的なデータを必要とすることを、考慮しておかねばならない。可変のビットシーケンスの長さの場合、もし十分なメモリー空間が電子装置１００内で利用可能であれば、リスト１１５内に全ての属性値を含めることも容易に可能である。従って、各々の位置参照において、属性値が出力され、伝送され、それにより位置参照はより正確になる。小さな索引値が、属性値の頻度によりきわめて頻繁に出力されるので、出力される位置参照のデータは、平均して小さいものになるであろう。従って、参照属性に応じて、固定又は可変のビットシーケンスの長さの索引を備えるリスト１１５を、編集することができる。
【００５６】
再び、図１及び図３も参照して、リスト１１５内に保存された属性値の部分集合に索引を付けることは、各々の属性値が文字列を有する時には特に有利である。文字列の保存又は伝送は、好ましい数値の索引値の保存又は伝送よりも、ずっと大きなデータ容量を必要とする。
【００５７】
記憶部１１０内に保存されるリスト１１５は、各々の位置参照に対して再生成されないが、既にあらかじめ生成されており、複数回の次の位置参照のために使用され得る。リスト１１５内に含まれる複数の属性値及びそれらの頻度は、通常、位置参照を行うほどには頻繁に変わらない。一方で、電子装置１００により、記憶部１１０内に保存された属性値に基づいて、リスト１１５それ自体が編集され得る。他方で、リスト１１５は、例えば中央サーバのような他の装置によって編集され、電子装置１００へ伝送されることもできる。
【００５８】
上述の構成に加えて、図１に示される記憶部１１０は、複数のリスト１１５に加えて、複数の地図の要素を有する地図と、少なくとも一つの地図の要素に対して少なくとも一つの参照属性の属性値とを保存及び提供することができる。複数の地図の要素とそれらに関連付けられた属性値は、スクリーン（不図示）上に地図を表示するために機能する。地図の表示には、個々の地図の要素又は複数の地図の要素を表示することが含まれ得る。スクリーンの大きさと所望の詳細度に応じて、地図の要素には、量の変わるグラフィックデータ及びそれに関連付けられた属性値を含み得る。
【００５９】
電子装置１００は、さらに、少なくとも一つの位置についての少なくとも一つの指示を受信可能なプロセッサシステム１２０を備える。特定の位置についての指示を、使用者入力（ユーザーインプット）によって、受信することができる。例えば、使用者は画面上で、プロセッサシステム１２０へ送られる、特定の地点又は地図中の要素を選択することができる。使用者による選択は、例えば、キー、ロータリーホイール（マウスホイール）、マウス、タッチスクリーン等の入力手段によって行われ得る。
【００６０】
それに代わり、又はそれに加えて、プロセッサシステム１２０は、インターフェース１４０を経由してポジションデータも受信し得る。この任意選択のポジションインターフェース１４０は、ポジションセンサー又は他のポジション検出システム（不図示）に接続されることができる。例えば、ポジションインターフェース１４０はＧＰＳセンサー及び／又はＧＰＳポジション検出システムに接続することができる。このことから、プロセッサシステム１２０は位置についてのポジションデータを受信する。その後、プロセッサシステム１２０は、その位置の位置参照に対して適格な少なくとも一つの属性値を決定し得る。この属性値を、複数の地図の要素を用いて決定することができる。これにより、プロセッサシステム１２０は、位置又はポジションデータへ割り当てられた地図の要素を決定することができる。換言すれば、位置又はポジションは、プロセッサシステム１２０で決定することができる特定の地図の要素内にある。それから始まり、プロセッサシステム１２０は、決定された地図の要素を用いて少なくとも一つの属性値を決定する。地図の要素が基づいている（基礎としている）データは、この地図の要素に関係する複数の参照属性を含んでいる。これらは、複数の特定の座標（地図の要素の角の座標又は中心座標）に加えて、交通道路（径路）、交差点、場所の名称、地域の名称、交通の方向、通りの名称、番地（戸番）、ＰＯＩ等も含む。もちろん、参照属性と対応する属性値の決定は、完全な地図データを備えていないデータに基づいて行うこともできる。
【００６１】
任意選択の工程において、プロセッサシステムは、見出された属性値が、リスト１１５が記憶部１１０内に保存されるために参照属性に関連付けられるか否かを決定し得る。この場合、プロセッサシステム１２０は、リスト１１５内で決定された属性値に割り当てられた索引値を記憶部から読み出す。指示された位置（例えば、ポジションデータ）から始まり、従って、プロセッサシステム１２０は、複数の参照属性に対する複数の属性値を決定し、決定された属性値に対応する索引値をリスト１１５から検索する（取得する）ことができる。
【００６２】
（索引値による）通りの名称の伝送を通して、位置参照の精度を向上させることができる。これまでのシステムは、位置参照において伝送されるデータを最小化するように設計されている。従って、比較的大きなデータ容量で、（例えばＡＳＣＩＩコードにより）送られ得る文字列の伝送は、排除されていた。本発明では、完全な文字列の代わりに（数値の）索引値を伝送することによる簡単な方法で位置参照を改善する。
【００６３】
位置について、リスト１１５が全く保存されていないか、又はリスト１１５内に現れない属性値と参照属性とを決定する場合、従来的な位置参照が、最初に説明したように、索引を付けられた属性値を用いることなしに行われる。その結果として、位置参照はなお不正確な結果につながるが、これは比較的頻度の低い属性値に対して起こるだけである。しかしながら、全体的には、より改善された位置参照が本発明によって達成される。
【００６４】
プロセッサシステム１２０は、電子装置１００内に含まれるデータ伝送部１３０を経由して位置参照情報を出力する。リスト１１５から読み出された索引値も、この位置参照情報に関連付けられる。データ伝送部１３０は、プロセッサシステム１２０によって提供された位置参照データを、少なくとも一つの他の装置へ伝送し得る形式（フォーマット）に変換する。上述の手続きに代わり、データ伝送部１３０は、プロセッサシステム１２０によって決定される属性値を用いて、リスト１１５から、対応する索引値又は関連付けられたビットシーケンスを読み出すことができ、データ伝送フォーマットに従って、それを伝送されるデータの中に挿入することもできる。
【００６５】
もちろん、位置参照データは、他の装置への伝送のために出力されねばならないわけではない。上述したように、位置参照は装置上の異なるアプリケーション間の相互的な作用（インタラクション）のため、又は異なる地図データ間の位置の伝送のための機能でもある。データ伝送部１３０は、それらの目的の各々について適宜、位置参照データを出力することができる。
【００６６】
このようにして生成される（伝送される）位置参照データは、より正確な位置参照を可能にするという点で、従来のシステムに対して利点がある。図５の例において、電子装置１００のポジションは、ルピネンヴェークについて出力された索引値を用いて、ルピネンヴェーク上にＸによって印を付けられた場所に正しく出力されることができる。
【００６７】
図２を参照して、参照される位置に割り当てられた属性値を用いた位置参照情報を受信及び評価する電子装置２００についてこれから説明する。電子装置２００は、同様に、位置参照のための複数の属性値を備えるリスト２１５を保存及び提供する記憶部２１０を備えている。リスト２１５は、電子装置１００のリスト１１５（図１参照）と厳密に同じ方法で編集される。さらに、リスト２１５は、少なくともリスト１１５と同じ複数の属性値及び関連付けられた複数の索引値とを含んでいる。ある実施態様において、リスト２１５は、対応する参照属性の全ての属性値を備えることもできる。
【００６８】
プロセッサシステム２２０に加え、電子装置２００はデータ伝送部２３０も備える。データ伝送部２３０により、電子装置２００は、例えば電子装置１００（図１）のような、さらなる装置から索引値を受信する。受信された索引値は、位置参照に関して受信されるデータ又は情報の一部である。受信されたデータは、図１を参照して上述されたデータ伝送部１３０によって出力されたデータに対応する。
【００６９】
プロセッサシステム２２０は、さらに、受信した索引値にリスト２１５内で割り当てられた属性値を記憶部２１０から読み出すように適合される。加えて、プロセッサシステム２２０は、読み出された属性値によって参照される位置を決定する。位置又はポジションは、例えば受信した座標又はさらなる属性値のような、さらなる情報を含めることによっても決定され得る。
【００７０】
電子装置１００（図１）に関して既に説明したように、電子装置２００（図２）の記憶部２１０は、複数の地図の要素を備える地図も保存及び提供することができる。さらに、記憶部２１０は、少なくとも一つの地図の要素に対して少なくとも一つの参照属性の属性値を保存し、それを電子装置２００の他の部品へ提供することもできる。
【００７１】
もちろん、さらなるリスト２１５（「リスト１」、「リスト２」等）も記憶部２１０内に保存されることができる。この場合、各々のリストは、属性値の頻度に応じた、全ての属性値の中からの部分集合を構成する位置参照のための特定の参照属性の複数の属性値を備える。
【００７２】
上述した索引値を含む位置参照により、電子装置２００（又はプロセッサシステム２２０）で、参照された位置をより良く（より正確に）決定することができる。図５及び図３によるリストの例によれば、電子装置１００によってさらなる電子装置２００へ伝送されるデータは、ルピネンヴェークに関連付けられた索引値７７６も含む。ここで、電子装置２００は、（例えば、座標データ及び交通路の向きを含む）方向参照、及び参照される通りの名称に関連付けられた索引値も有している。このようにして、電子装置２００又はプロセッサシステム２２０により、より近いハイデヴェーク上には位置しておらず、正しくはルピネンヴェーク上にある位置（図５のＸで印を付けた場所を参照）を決定することができる。
【００７３】
電子装置２００が表示部（不図示）を備える場合には、参照された位置又はポジションを含む地図が表示され得る。この目的のために、プロセッサシステム２２０は、受信した索引値を含む受信データから決定された位置に割り当てられた地図の要素を決定することができる。プロセッサシステム２２０は、少なくとも決定された地図の要素を含む地図を表示するように、適切な方法で表示部を制御することもできる。そのような表示（部）は、ナビゲーション装置、又は他のモバイル装置（スマートフォン、タブレットコンピュータ、ラップトップコンユータ、ＧＰＳ追跡システム等）で見られる。電子装置２００は、必ずしも、地図データを表示するための表示部を備えた装置である必要はない。電子装置２００は、データ伝送チャンネルを経由して、少なくとも一つのさらなる電子装置１００に接続される中央サーバでもあり得る。このサーバは交通状態サービスのサーバ（「交通サーバ」）とすることができる。従って、電子装置２００は、多数の装置にて受信した、又はそうでなければ取得した複数の位置を参照する（送る）ために、電子装置１００の機能性も備えることができる。例として、交通渋滞レポートの受け取り、及びその交通渋滞レポートに関連する位置参照情報を送ることが、ここで引用される。
【００７４】
既に説明したように、リスト１１５／２１５は、電子装置１００と電子装置２００の両方に保存されねばならない。リスト１１５／２１５は、正しい位置参照に対応していなければならない。これは簡単な版（バージョン）管理によって成し遂げられ得る。もし、電子装置２００が中央サーバならば、複数の更新されたリスト（最新リスト）が一つ以上の電子装置１００に定期的な間隔で伝送されることができる。
【００７５】
選択的に、電子装置１００は、時々、又は電子装置２００における位置参照情報の伝送の前に、リスト１１５／２１５のバージョン比較を始めることもできる。リスト１１５／２１５がもはや対応していない（従ってリストが旧版である）場合だけ、リストの更新が実行され得る。
【００７６】
図４を参照して、本発明は、対応する方法の手順を用いて再度要約される。方法は、頻度に応じた複数の属性値を備えるリストの編集（ステップ３００）から始まる。複数の属性値は、特定のデータの集合についての全ての属性値から（及び、可能であれば特定の基準、特定の地図の要素、全データベース、特定の場所の領域等にも基づいて）集められる。次に、決定された複数の属性値内の少なくとも一つの属性値の頻度が計算される。
【００７７】
さらなるステップ３１０において、全ての属性値の中からの部分集合を有するリストが保存される。各々の属性値に対して、そのリストは特定の索引値も含んでいる。この索引値は、そのリスト内で唯一無二のものである。一つの構成において、リストの編集では、索引値を表すのに必要なビットシーケンスの長さによって、リストの記載項目（エントリ）の対応する数に既に制限が設けられている。
【００７８】
そのようなリストが、少なくとも一つの電子装置に保存されねばならない。もし、位置参照が同じ電子装置上の２つのアプリケーションの間で行われるならば、リストが一つの電子装置に保存されることで十分である。しかしながら、もし位置参照が２つの装置の間で行われるならば、各々の装置がリストを保存しなければならない。
【００７９】
その後、位置参照は、位置を受信することによって、ステップ３２０において開始される。位置についての指示は、適切なセンサーによる座標入力であり得る。位置についての指示は、例えば地図上での、使用者入力によっても実行され得る。
【００８０】
ステップ３３０において、受信した位置に基づいて、その位置の位置参照に対して適格な属性値が決定される。次に、ステップ３４０において、索引値が上述したリストから読み出される。索引値は、その次に、ステップ３５０において出力される。その出力とは、他の装置への索引値の伝送、又は、同じ装置内の一時保存を含むことができる。索引値に加えて、通常は、例えば、座標データ（例えばＷＧＳ８４座標）、及び／又は、さらなる参照属性、及び／又は、他の参照属性のさらなる索引値のようなさらなる情報も出力される。
【００８１】
図４に破線で示すように、位置参照方法はその後他の場所で継続される。これは、他の電子装置であり得る。しかしながら、もし位置参照が異なる地図アプリケーション、地図データ等の間で行われるならば、方法は同じ電子装置上でも継続され得る。
【００８２】
どの場合においても、上述した出力された索引値は（及び、可能であれば位置参照に関係するさらなる情報及びデータも）、ステップ３６０において受信される。索引値に基づいて、ステップ３７０において、属性値が上記したリストから読み出されることができる。
【００８３】
最後に、ステップ３８０において、読み出された属性値を用いて位置が決定される。属性値に加えて、（座標等の）さらなる伝送されたデータも位置を決定するために使用され得る。
【００８４】
例えば、文字列（通りの名称、場所の名称等）のような属性値を有する索引値の伝送により、位置はステップ３８０において、従来可能であったよりもずっと正確に決定されることができる。
【００８５】
上述した例示、参照属性、及び数値範囲は、本発明を説明するためだけに役に立つ。本発明は、これらの例示、参照属性、及び数値範囲に限定されるように意図されたものではない。むしろ、本発明の範囲は特許請求の範囲によって示される。
【符号の説明】
【００８６】
１００、２００…電子装置、  １１０、２１０…記憶部、  １１５、２１５…リスト、
１２０、２２０…プロセッサシステム、  １３０、２３０…データ伝送部、          
１４０…ポジションインターフェース。
【図１】
2016130852.tif 000004
【図２】
2016130852.tif 000005
【図３】
2016130852.tif 000006
【図４】
2016130852.tif 000007
【図５】
2016130852.tif 000008